(57)【要約】【課題】  充分な強度を持つ緩衝体を容易に製造する。【解決手段】  基壁１２と側壁１４ａ、１４ｂを有する柱状部１０を、側面形状がL字状になるように、ダンボール紙を折り曲げて形成する。柱状部１０の両端にそれぞれ接触部１６ａ、１６ｂを一体に設けてある。接触部１６ａ、１６ｂの接触壁２２ａ、２２ｂが被梱包品に接触する。【選択図】        図１
2006327627.tif 000002
【特許請求の範囲】
【請求項１】
折り曲げ可能なシートを側面形状がＬ字状になるように折り曲げて形成された柱状部と、
前記柱状部の両端にそれぞれ設けられ、被梱包品に接触する接触面をそれぞれ有する接触部とを、
有する緩衝体。
【請求項２】
請求項１記載の緩衝体において、前記柱状部は、互いに平行な直線状の両側縁が間隔をおいて設けられた板状の基壁と、この基壁の前記両側縁に基端側縁が連なり、これら基端側縁と平行な先端側縁が離れて位置し、互いに対向する板状の１対の側壁とを有し、
一方の側壁の先端側縁から前記一方の側壁の基端側縁までこれにほぼ直角に前記一方の側壁を横切る第１の折り線と、この一方の側壁の基端側縁から他方の側壁の基端側縁までこれにほぼ直角に前記基壁を横切る第２の折り線と、この他方の側壁の基端側縁から他方の側壁の先端側縁までこれにほぼ直角に他方の側壁を横切る第３の折り線と、第１及び第２の折り線の交点付近から前記一方の側壁の先端側縁まで前記一方の側壁を斜めに横切る第４の折り線と、第１の折り線と第３の折り線との交点付近から前記他方の側壁の先端側縁まで他方の側壁を第４の折り線とほぼ平行に横切る第５の折り線とを、設け、前記１対の側壁及び基壁の連なる面を基準として第１乃至第３の折り線に沿って谷折りし、第４及び第５の折り線に沿って山折りして、前記柱状部が形成されている緩衝体。
【請求項３】
請求項１記載の緩衝体において、前記柱状部は、互いに平行な直線状の両側縁が間隔をおいて設けられた板状の基壁と、この基壁の前記両側縁に基端側縁が連なり、これら基端側縁と平行な先端側縁が離れて位置し、互いに対向する板状の１対の側壁とを有し、
一方の側壁の先端側縁から前記一方の側壁の基端側縁までこれにほぼ直角に前記一方の側壁を横切る第１の折り線と、この一方の側壁の基端側縁から他方の側壁の基端側縁までこれにほぼ直角に前記基壁を横切る第２の折り線と、この他方の側壁の基端側縁から他方の側壁の先端側縁までこれにほぼ直角に他方の側壁を横切る第３の折り線と、第１及び第２の折り線の交点付近から前記一方の側壁の先端側縁まで前記一方の側壁を斜めに横切る第４の折り線と、第１の折り線と第３の折り線との交点付近から前記他方の側壁の先端側縁まで他方の側壁を第４の折り線とほぼ平行に横切る第５の折り線とを、設け、前記１対の側壁及び基壁の連なる面を基準として第１及び第３の折り線に沿って山折り、第２の折り線に沿って谷折りし、第４及び第５の折り線に沿って谷折りして、前記柱状部が形成されている緩衝体。
【請求項４】
請求項２または３記載の緩衝体において、前記１対の側壁は、前記基壁に対してほぼ垂直に位置する緩衝体。
【請求項５】
請求項２または３記載の緩衝体において、前記各接触部は、前記基壁の両端にそれぞれ形成された板状体を折り曲げて、それぞれ形成されている緩衝体。
【発明の詳細な説明】
【技術分野】
【０００１】
本発明は、例えば紙製容器内において被梱包品と容器の内面との間に介在して、被梱包品の損傷を防止する緩衝体に関し、例えばダンボール紙や厚紙のような折りたたみ可能なシートを使用したものに関する。
【背景技術】
【０００２】
折りたたみ可能なシート、例えばダンボール紙を使用した緩衝体の一例が特許文献１に開示されている。この緩衝体は、平板状の連結板の両端にそれぞれ概略直方体状の巻き込み部を形成したもので、１枚のダンボールを折り曲げて形成されている。
【０００３】
【特許文献１】実公昭６２−１０６９号公報
【発明の開示】
【発明が解決しようとする課題】
【０００４】
この緩衝体では、平板状の連結板の両端に巻き込み部を設けた構成であるので、これら巻き込み部間に被梱包品を配置するような使用しかできない。例えば、連結板をほぼ直角に折り曲げて、巻き込み部を直角に配置して、包装箱の内面と被梱包品との間に配置することも考えられるが、連結板は薄い板状のものであるので、これを折り曲げただけでは強度が充分ではない。
【０００５】
本発明は、充分な強度を持つ緩衝体を提供することを目的とする。
【課題を解決するための手段】
【０００６】
本発明による緩衝体は、柱状部を有している。この柱状部は、折り曲げ可能なシート、例えばダンボール紙または厚紙製であって、その側面形状がＬ字状になるように中途から折り曲げて形成されている。柱状部の両端にそれぞれ接触部が設けられている。この接触部は、被梱包品に接触する接触面をそれぞれ有している。
【０００７】
このように構成された緩衝体では、板状体ではなく、強度の大きい柱状部が使用され、しかも、その柱状部が中途から折り曲げられてＬ字状とされているので、折り曲げた際に、柱状部の一部が重なり合い、更に強度が大きくなる。しかも、折り曲げることによってＬ字状に形成するので、その製造が容易である。
【０００８】
柱状部は、板状の基壁を有するものとすることができる。この場合、基壁は、互いに平行な直線状の両側縁が間隔をおいて設けられている。この基壁に１対の側壁が連なっている。具体的には、基壁の両側縁に１対の側壁それぞれの基端側縁が連なり、これら基端側縁と平行な先端側縁が基端側縁から離れて位置する。１対の側壁は、互いに対向して位置している。一方の側壁の先端側縁から前記一方の側壁の基端側縁まで、これにほぼ直角に前記一方の側壁を横切って第１の折り線が設けられている。この一方の側壁の基端側縁から他方の側壁の基端側縁までこれにほぼ直角に前記基壁を横切る第２の折り線が設けられている。この他方の側壁の基端側縁から他方の側壁の先端側縁までこれにほぼ直角に他方の側壁を横切る第３の折り線が設けられている。第１及び第２の折り線の交点付近から前記一方の側壁の先端側縁まで前記一方の側壁を斜めに横切る第４の折り線が設けられている。第１の折り線と第３の折り線との交点付近から前記他方の側壁の先端側縁まで他方の側壁を第４の折り線とほぼ平行に横切る第５の折り線が設けられている。前記１対の側壁及び基壁の連なる面を基準として第１乃至第３の折り線に沿って谷折りし、第４及び第５の折り線に沿って山折りして、前記柱状部が形成されている。
【０００９】
或いは、上記と同様に基壁、１対の側壁、第１乃至５の折り線を設け、１対の側壁及び基壁の連なる面を基準として第１及び第３の折り線に沿って山折りし、第２の折り線に沿って谷折りし、第４及び第５の折り線に沿って谷折りして、前記柱状部が形成されている。
【００１０】
これらのように構成すると、柱状部の一方の側壁に第１の折り線と第４の折り線とによって囲われた折り返し部分が形成され、他方の側壁に第３の折り線と第５の折り線とによって囲われた折り返し部分が形成される。第１乃至第３の折り線によって１対の側壁と基壁とを折り曲げることによって１対の側壁それぞれに形成された重なり部分の間にこれら折り返し部分が介在する三重構造となるので、柱状部の強度がより増す。
【００１１】
さらに、１対の側壁は、前記基壁に対してほぼ垂直に位置するように構成することもできる。このように構成することによって、柱状部の折り曲げ前の縦断面形状が凹字状となり、第１乃至第５の折り線に沿った折り曲げが容易に行える。
【００１２】
各接触部は、前記基壁の両端にそれぞれ形成された板状体を折り曲げて、形成することができる。このように構成すると、１枚のシートを折り曲げるという簡単な作業だけで、柱状部と２つの接触部とが一体に形成された本緩衝体を製造することができ、接触部と柱状部とを別個に形成し、その後に組み合わせるものと比較して、その製造が容易になる。
【発明の効果】
【００１３】
以上のように、本発明によれば、強度の大きい緩衝体を容易に製造することができる。
【発明を実施するための最良の形態】
【００１４】
本発明の１実施形態の緩衝体２は、図３に示すように、例えばダンボール紙のような紙製の容器４内に被梱包品６、例えば電気製品等を収容した状態において、容器４の内面と被梱包品６の外面とにそれぞれ接触して、被梱包品６が紙製容器４内で移動するのを防止して保護するためのものである。
【００１５】
この緩衝体２は、図１及び図２に示すように、折りたたみ可能なシート、例えばダンボール紙または厚紙製の柱状部１０を有している。この柱状部１０は、図２に示すように、その側面形状が概略Ｌ字状をなしている。この柱状部１０は、図１に示すように、板状、例えば長方形状の基壁１２と、その基壁１２の両側に形成された側壁１４ａ、１４ｂを有している。側壁１４ａ、１４ｂは、同一の大きさのもので、板状、例えば長方形状である。これら基壁１２、側壁１４ａ、１４ｂが中途から折り曲げられて、柱状部１０が形成されている。
【００１６】
この柱状部１０の両端部にそれぞれ接触部１６ａ、１６ｂが一体に形成されている。これら接触部１６ａ、１６ｂも、柱状部１０と同じシート製である。これら接触部１６ａ、１６ｂは、基壁１２にほぼ直角をなし、かつ互いに平行に間隔をおいて位置する外側端壁１８ａ、１８ｂと内側端壁２０ａ、２０ｂとを有している。これら外側端壁１８ａ、１８ｂ、内側端壁２０ａ、２０ｂの間を繋ぐように、接触壁２２ａ、２２ｂを有している。これら接触壁２２ａ、２２ｂは、図３に示すように、被梱包品６にそれぞれ接触する。これら接触壁２２ａ、２２ｂにそれぞれ接する２つの面が、丁度被梱包品の２つの直交する外周面に一致する。
【００１７】
この緩衝体２は、例えば図６に示すように１枚のダンボール紙または厚紙を裁断して、裁断体２４を形成し、この裁断体２４を折り曲げることによって形成される。図６は、裁断対２４の一方の面、例えば内面を示している。この裁断体１６は、中央に柱状部形成部２６を、その両側に板状部、例えば接触部形成部２８ａ、２８ｂを有している。
【００１８】
柱状部形成部１８は、その中央に基壁１２を有している。この基壁１２は、その両側にその長さ方向に沿って互いに平行な直線状の側縁３０ａ、３０ｂを有している。この側縁３０ａ、３０ｂに側壁１４ａ、１４ｂの基端側側縁３２ａ、３２ｂが連なっている。この基端側側縁３２ａ、３２ｂと間隔をおいて、これら基端側側縁３２ａ、３２ｂと平行な先端側側縁３４ａ、３４ｂを側壁１４ａ、１４ｂは有している。先端側側縁３４ａ、３４ｂから基端側側縁３０ａ、３０ｂ側に向かって中途まで係合用切り込み３６ａ、３６ｂ、３８ａ、３８ｂが形成されている。係合用切り込み３６ａ、３６ｂは、側壁１４ａ、１４ｂの一方の端から接触部１６ａの幅寸法Ｗだけ内側によった位置に形成され、同様に係合用切り込み３８ａ、３８ｂも、側壁１４ａ、１４ｂの他方の端から接触部１６ｂの幅寸法Ｗだけ内側によった位置に形成されている。
【００１９】
側壁１４ａの先端側側縁３４ａの適所、例えば長さ方向の中央から、この側縁３４ａにほぼ直角に側壁１４ａを横切って基端側側縁３２ａに到達するように第１の折り線、例えば折り線４０が形成されている。この折り線４０に連なって、基端側側縁３２ａ（基壁１２の一方の側縁３０ａ）からこれに直角に基壁１２を横切って基壁１２の他方の側縁３０ｂ、即ち側壁１４ｂの基端側側縁３０ｂまで第２の折り線、例えば折り線４２が形成されている。この折り線４２に連なって、基壁１２の他方の側縁３０ｂ（他方の側壁１４ｂの基端側側縁３２ｂ）からこれに直角に他方の側壁１４ｂを横切って他方の側壁１４ｂの先端側側縁３４ｂまで、第３の折り線、例えば折り線４４が形成されている。これら折り線４０，４２、４４は、同一直線上にある。
【００２０】
折り線４０と基壁１２の一方の側縁３０ａ（一方の側壁１４ａの基端側側縁３２ａ）との交点から、基壁１２の一方の端に向かって、折り線４０と所定角度、例えば４５度をなすように、先端側側縁３４ａまで、第４の折り線、例えば折り線４６が形成されている。同様に、折り線４４と基壁１２の他方の側縁３０ｂ（他方の側壁１４ｂの基端側側縁３２ｂ）との交点から、折り線４６と同じ方向、例えば基壁１２の一方の端に向かって、折り線４４と所定角度、例えば４５度をなすように、先端側側縁３４ｂまで、第５の折り線、例えば折り線４８が形成されている。
【００２１】
なお、説明の都合上、折り線４０と４６とによって囲われた一方の側壁１４ａの領域と、同じく折り線４４と４８とによって囲われた他方の側壁１４ｂの領域とを、それぞれ折り返し部５０ａ、５０ｂと称し、折り線４６から側壁１４ａの一方の端までの領域、折り線４８から側壁１４ｂの一方の端までの領域を内側位置部５２ａ、５２８ｂと称し、折り線４０から側壁１４ａの他方の端までの領域と、折り線４４から側壁１４ｂの他方の端までの領域とを、それぞれ外側位置部５４ａ、５４ｂと称する。
【００２２】
接触部形成部２８ａは、基壁１２の一方の端に連なり、この基壁１２の一方の端に外側端壁１８ａを有している。この外側端壁１８ａは、長手縁が基壁１２と直交する板状、例えば長方形に形成され、その長手縁の両端は、基壁１２の端からそれぞれ所定の長さだけ外方に突出した位置にある。この外側端壁１８ａの幅寸法ｈは、側壁１４ａ、１４ｂの基端側縁３２ａ、３２ｂと先端側縁３４ａ、３４ｂとの間の距離に等しい。この外側端壁１８ａに連ねて接触面２２ａが形成され、この両者の境界に折り線５６ａが形成されている。接触面２２ａは上述した所定の幅寸法Ｗを有している。この接触面２２ａに連ねて外側端壁１８ａと同じ大きさの内側端壁２０ａが形成され、この内側端壁２０ａと接触面２２ａとの境界には折り線５８ａが形成されている。
【００２３】
内側端壁２２ａの外方側縁における基壁１２の両側縁３０ａ、３０ｂに対応する位置から基壁１２側に向かって係合用切り込み６０ａ、６２ａが形成されている。これら係合用切り込み６０ａ、６２ａの深さは、係合用切り込み３６ａ、３６ｂの深さｄに等しく選択されている。また、外側端壁１８ａ、接触面２２ａ、内側端壁２０ａの中央には、折り線５６ａ、５８ａに跨って長孔６４ａが形成されている。
【００２４】
接触部形成部２８ｂは、折り線４０、４２、４４を対称軸として、接触部２８ａと線対称に形成されている。従って、対応部分には、同一番号の末尾の添え字ａをｂに代えた符号を付して、その説明を省略する。
【００２５】
この緩衝体２は、例えば次のようにして組み立てられる。まず、図７に示すように側壁１４ａ、１４ｂを、基壁１２の両側縁３０ａ、３０ｂ（側壁１４ａ、１４ｂの基端側側縁３２ａ、３２ｂ）を折り線として谷折りし、側壁１４ａ、１４ｂを基壁１２に対してほぼ直角に、かつ互いを対向させる。即ち、縦断面形状を凹字状とする。これによって、折り曲げ前の柱状部１０が形成される。なお、以下にも、谷折り及び山折りとの用語を使用するが、これら山折り、谷折りは、柱状部形成部２６及び接触部形成部２８ａ、２８ｂの図６に示されている面、例えば内面を基準とするものである。
【００２６】
これに続いて、図８に示すように、一方の接触部形成部２８ａの外側端壁１８ａを、基壁１２の一方の端を折り線として谷折りして、基壁１２に対してほぼ垂直にかつ、側壁１４ａ、１４ｂと同一の方向に位置させる。次に、折り線５８ａに沿って接触壁２２ａを谷折りし、外側端壁１８ａに対して直角に、かつ基壁１２の上方に位置させる。そして、折り線５６ａに沿って内側端壁２０ａを谷折りして、内側端壁２０ａを接触壁２２ａに直角に基壁１２上に立てる。このとき、係合用切り込み６０ａが、係合用切り込み３６ａに嵌り、係合用切り込み６２ａが係合用切り込み３６ｂに嵌り、内側端壁２０ａが広がることを防止する。これによって接触部１６ａが形成される。同様に接触部形成部２８ｂを折ることによって、接触部１６ｂが形成される。
【００２７】
このようにして、図９に示すように直線状の柱状部１０の両端にそれぞれ接触部１６ａ、１６ｂを有する状態とされる。この状態において、折り線４６、４８を山折りしつつ、即ち、折り返し部５０ａ、５０ｂが側壁１４ａ、１４ｂの外側に来るように折り返しつつ、折り線４０、４２、４４を谷折りする。これによって、図１及び図２に示すように、柱状部１０の側面形状がＬ字状となる。このように折り線４０、４２、４４、４６、４８に沿って折り曲げることによって、容易にＬ字状にすることができる。しかも、このとき、例えば長孔６４ａを跨いで作業者の左手の親指の先端が内側端壁２０ａ側に位置し、左手の他の指の先端が基壁１２の外面側（図１に表されている面と反対側の面）に位置するように、接触部１６ａを作業者が握り、同様にして右手で接触部１６ｂを握り、接触部１２ｂを接触部１２ａに近づけるように、即ち、図９において矢印で示す方向に移動させるという、１つの動作を行うことによって、折り曲げられ、折り曲げを容易に行うことができる。
【００２８】
このように折り曲げると、図４に示すように側壁１４ａ、１４ｂでは、内側位置部５２ａ、５２ｂの一部に折り返し部５０ａ、５０ｂが重なり、さらに、この折り返し部５０ａ、５０ｂに外側位置部５４ａ、５４ｂの一部が重なり、三層構造となる。従って、柱状部１０の強度が充分大きくなる。しかも、このように折り返した状態では、図５に模式的に示すように、折り返し部５０ａ、５０ｂは、折り線４６、４８を基準として矢印ａで示すように側壁１４ａ、１４ｂの外側に開こうとし、折れ線４０、４４を基準として矢印ｂで示すように側壁１４ａ、１４ｂの内側に開こうとする。この両方の力が拮抗して、打ち消し合い、折り返し部５０ａ、５０ｂは、内側位置部５２ａ、５２ｂ、外側位置部５４ａ、５４ｂに接触した状態を維持し、柱状部１０は、折り曲げられたＬ字状の状態が維持され、形が自然に崩れることもない。
【００２９】
上記の実施の形態では、折り返し部５０ａ、５０ｂが内側位置部５２ａ、５２ｂの外側に位置するように、折り線４６、４８を山折りし、折り線４０、４２、４４を谷折りしたが、図１０に示すように折り返し部５０ａ、５０ｂが内側位置部５２ａ、５２ｂの内側に位置するように、折り線４６、４８を谷折りし、折り線４０、４２を山折りし、折り線４４を谷折りすることもできる。
【００３０】
上記の実施の形態では、柱状部１０の縦断面形状が凹字状となるように、基壁１２と側壁１４ａ、１４ｂとによって柱状部１０を構成したが、他の縦断面形状、例えば三角形状とすることもできる。但し、この場合、接触部１６ａ、１６ｂの係合用切り込み６０ａ、６０ｂ、６２ａ、６２ｂは傾斜させて設ける必要がある。上記の実施の形態では、接触部１６ａ、１６ｂに長孔６４ａ、６４ｂを設けたが、場合によっては不要である。上記の実施の形態では、接触部１６ａ、１６ｂを柱状部１０と一体に形成したが、場合には、柱状部１０とは別個に形成し、柱状部１０に取り付けるように構成することもできる。
【図面の簡単な説明】
【００３１】
【図１】本発明の１実施形態の緩衝体の斜視図である。
【図２】図１の緩衝体の側面図である。
【図３】図１の緩衝体の使用状態を示す図である。
【図４】図２のＡ−Ａ線に沿う断面図である。
【図５】図２のＢ−Ｂ線に沿う概略端面図である。
【図６】図１の緩衝体の展開図である。
【図７】図６の展開状態から側壁を起こした状態の斜視図である。
【図８】図７の状態から接触部を組み立てる途中の状態の斜視図である。
【図９】図８の状態から接触部を組み立てた状態の斜視図である。
【図１０】図１の緩衝体の変形例を示す図である。
【符号の説明】
【００３２】
２  緩衝体
１０  柱状部
１２  基壁
１４ａ  １４ｂ  側壁
１６ａ、１６ｂ  接触部
１８ａ  １８ｂ  外側端壁
２０ａ、２０ｂ  内側端壁
２２ａ  ２２ｂ  接触壁
【図１】
2006327627.tif 000003
【図２】
2006327627.tif 000004
【図３】
2006327627.tif 000005
【図４】
2006327627.tif 000006
【図５】
2006327627.tif 000007
【図６】
2006327627.tif 000008
【図７】
2006327627.tif 000009
【図８】
2006327627.tif 000010
【図９】
2006327627.tif 000011
【図１０】
2006327627.tif 000012